(57)【要約】【課題】除霜運転時の暖房効率の低下を抑制し、さらには除霜運転による室内への冷風吹出しを防止し住環境の快適性を向上させること。【解決手段】室外熱交換器２３に対する逆サイクル除霜時、室内ファン７を停止し、その状態で電熱ヒータ８を通電しかつ換気ファン１０を運転して室内空気を吸込み、その吸込み空気を室内熱交換器６に通して換気ファン１０から室外に排出することにより、室内への冷風吹出しを防止しながら、室内熱交換器での熱交換作用を促進して除霜能力の向上が図れ、除霜時間の短縮化と、室内住環境の快適性を向上させることができる。【選択図】図１
2006336923.tif 000002
【特許請求の範囲】
【請求項１】
圧縮機、四方弁、室外熱交換器、減圧器、室内熱交換器を接続して冷媒を循環させるヒートポンプ式の冷凍サイクルと、室内空気を前記室内熱交換器に通して循環させる室内ファンと、室内吸込み空気を加熱する電熱ヒータとこの加熱された空気を前記室内熱交換器に通して室外に排出する換気ファンと、暖房運転時、前記冷凍サイクルの冷媒の流れ方向を通常と反対に切り替えて前記室外熱交換器に対する除霜運転を実行し、前記除霜運転時に前記電熱ヒータを通電し、かつ前記室内ファンを停止して前記換気ファンを運転する制御手段を備えたことを特徴とする空気調和機。
【請求項２】
圧縮機、四方弁、室外熱交換器、減圧器、室内熱交換器を接続して冷媒を循環させるヒートポンプ式の冷凍サイクルと、室内空気を前記室内熱交換器に通して循環させる室内ファンと、室内吸込み空気を加熱する電熱ヒータと、室内へ吹出す空気の方向を変える可動ルーバと、吹出し口上部でかつ吸込み口下部に設けられた隙間と、暖房運転時に前記冷凍サイクルの冷媒の流れ方向を通常と反対に切り替えて前記室外熱交換器に対する除霜運転を実行し、前記除霜運転時に前記電熱ヒータを通電し、かつ前記室内ファンを微風運転すると共に前記ルーバを閉じる制御手段を備えたことを特徴とする空気調和機。
【請求項３】
前記電熱ヒータへの通電を前記除霜開始まで所定時間以下になったら開始することを特徴とする請求項１または２に記載の空気調和機。
【発明の詳細な説明】
【技術分野】
【０００１】
本発明は暖房運転時に室外熱交換器の除霜を行う空気調和機に関するものである。
【背景技術】
【０００２】
従来、この種の空気調和機は暖房運転において、運転周波数可変式の圧縮機の運転周波数をできるだけ高めて高暖房能力を確保しているが、この場合、圧縮機の運転周波数が高いため、圧縮機吸入圧力が低下し、室外熱交換器における冷媒蒸発温度が下がる。さらに室外気温が低いため室外熱交換器の温度が相乗的に低下し、氷点下となると、室外熱交換器に霜が付着成長する。このとき室外空気から熱を取り込む作用の効率が低下し、暖房能力が大幅に低下する。そこで、一定の条件を満たした場合、暖房運転を一時中断し、冷凍サイクルを逆に切り替えることで室外熱交換器の除霜を行う方式が広く用いられている（例えば、特許文献１参照）。
【特許文献１】特開平０５−２１５３７９号公報
【発明の開示】
【発明が解決しようとする課題】
【０００３】
しかしながら、前記従来の構成では、除霜運転中は暖房とは逆サイクルの運転であり、室内熱交換器の温度が低下するため、室内に冷風が吹出されて居住者に不快感を与えるという問題がある。また、暖房運転時の室外空気温度が低い時には、室外空気と熱交換して受け取る熱エネルギー量が少なく、冷凍サイクルは全体的に低温度で作動しており、室内熱交換器や圧縮機の温度上昇がおさえられ、除霜運転においても、圧縮機で圧縮され吐出される冷媒の温度が低く、この冷媒の持つ熱エネルギーによって溶かされる霜や氷の量が少なく、長時間にわたって暖房運転を停止し除霜運転を続ける必要があり、暖房効率の低下を招いてしまうという課題を有していた。
【０００４】
本発明は、前記従来の課題を解決するもので、逆サイクル除霜での室内への冷風吹出しを防止しながら除霜能力の向上が図れる空気調和機を提供することを目的とする。
【課題を解決するための手段】
【０００５】
前記従来の課題を解決するために、本発明の空気調和機は、室外熱交換器に対する逆サイクル除霜時、室内ファンを停止し、その状態で電熱ヒータを通電しかつ換気ファンを運転して室内空気を吸込み、その吸込み空気を室内熱交換器に通して換気ファンから室外に排出するものである。
【０００６】
これによって、室内への冷風吹出しを防止しながら、室内熱交換器での熱交換作用を促進して除霜能力の向上を図ることができる。
【０００７】
また、本発明の空気調和機は、室外熱交換器に対する逆サイクル除霜時、室内ファンを微風運転し、かつその状態で電熱ヒータを通電して室内空気を吸込み、その吸込み空気を室内熱交換器に通して吹出し口上部の隙間から微風で吹出し再度室内機の吸込み口から吸い込むようにしたものである。
【０００８】
これによって、室内への冷風吹出しを防止しながら、室内熱交換器での熱交換作用を促進して除霜能力の向上を図ることができる。
【発明の効果】
【０００９】
本発明の空気調和機は、除霜運転時の暖房運転の停止時間の短時間化により暖房効率の
低下を抑制し、さらには除霜運転による室内への冷風吹出しを防止し住環境の快適性を向上させることができる。
【発明を実施するための最良の形態】
【００１０】
第１の発明は室外熱交換器に対する逆サイクル除霜時、室内ファンを停止し、その状態で電熱ヒータを通電しかつ換気ファンを運転して室内空気を吸込み、その吸込み空気を室内熱交換器に通して換気ファンから室外に排出することにより、室内への冷風吹出しを防止しながら、室内熱交換器での熱交換作用を促進して除霜能力の向上が図れ、除霜時間の短縮化と、室内住環境の快適性を向上させることができる。
【００１１】
第２の発明は室外熱交換器に対する逆サイクル除霜時、室内ファンを微風運転し、かつその状態で電熱ヒータを通電して室内空気を吸込み、その吸込み空気を室内熱交換器に通して吹出口の上部の吹出隙間から微風速で吹出し、再度室内ユニットの吸込口から吸い込ませることにより、室内への冷風吹出しを防止しながら、室内熱交換器での熱交換作用を促進して除霜能力の向上が図れ、除霜時間の短縮化と、室内住環境の快適性を向上させることができる。
【００１２】
第３の発明は、特に、第１または第２の発明の電熱ヒータへの通電を除霜開始まで所定時間以下になったら開始することにより、除霜時前の暖房能力低下による室内への空気の吹出し温度の低下が抑制でき、室内住環境の快適性を向上させることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室内ユニットの内部の構成図を示すものである。
【００１５】
図１において、室内ユニット１は、前面部に吸込口２、上面部に吸込口３、下面部に吹出口４を有し、吸込口２、３から吹出口４にかけて通風経路を形成している。吹出口４にはルーバ５が設けられ、吹出口４を開閉する機能のほかに、吹出し風の方向調節手段として機能する。
【００１６】
吸込口２、３から吹出口４にかけての通風経路には、室内熱交換器６および室内ファン７が配設され、さらに吸込口２と室内熱交換器６との間に電熱ヒータ８および室内温度センサ９が設けられている。室内ファン７は、室内空気を吸込口２、３を通して吸込み、電熱ヒータ８および室内熱交換器６を通して吹出口４から室内に吹出す。室内温度センサ９は、吸込まれる室内空気の温度を検知する。
【００１７】
また、吸込口２、３から吹出口４にかけての通風経路に臨む位置に換気ファン１０が設けられている。換気ファン１０は、室内熱交換器６を経た空気を取込み、その取込んだ空気を住居の壁面を通して室外に導出されている換気ダクト１１を通して室外に排出する。
【００１８】
図２は、本発明の第１の実施の形態における空気調和機の冷凍サイクルおよび制御回路の構成図を示すものである。
【００１９】
図２において、スプリット型の空気調和機は、室内ユニット１および室外ユニット２０から構成されている。
【００２０】
室外ユニット２０は、圧縮機２１、四方弁２２、室外熱交換器２３、減圧器たとえば電
子膨張弁２４、室外ファン２５などを有している。圧縮機２１は、冷媒を吸込口から吸込み、その吸込んだ冷媒を圧縮して吐出口から吐出する。この圧縮機２１の吐出口に四方弁２２を介して室外熱交換器２３が配管接続され、その室外熱交換器２３に電子膨張弁２４を介して室内熱交換器６が配管接続されている。そして、室内熱交換器６に四方弁２２を介して圧縮機２１の吸込口が配管接続されている。
【００２１】
空気調和機全体にわたる制御を行う制御部３０に、四方弁２２、電子膨張弁２４、室外ファン２５、室内ファン７、電熱ヒータ８、室内温度センサ９、換気ファン１０、インバータ３１が接続されている。インバータ３１は、商用交流電源４０の交流電圧を整流し、その整流後の電圧を制御部３０からの指令に応じた周波数の交流電圧に変換し、出力する。この出力が圧縮機２１に対する駆動電力となる。
【００２２】
以上のように構成された空気調和機について、以下その動作、作用を説明する。
【００２３】
まず換気運転モードでは、圧縮機２１、室外ファン２５、室内ファン７が停止された状態で、換気ファン１０が運転される。この換気ファン１０の運転により、吸込口２，３を通して室内ユニット１内に室内空気が吸込まれ、その吸込み空気が室内熱交換器６を通って換気ファン１０に流れる。換気ファン１０に流れた空気は換気ダクト１１を通して室外に排出される。この換気運転により、室内の臭いやたばこ煙などを室外に排出することが可能であり、室内を快適環境に維持することができる。
【００２４】
一方、暖房運転モードが設定されると、圧縮機２１が起動されるとともに四方弁２２が暖房ポジションに設定され、圧縮機２１の吐出冷媒が四方弁２２、室内熱交換器６、電子膨張弁２４、室外熱交換器２３、四方弁２２の順に流れる（図２の破線矢印方向）。これにより、室内熱交換器６が凝縮器、室外熱交換器２３が蒸発器として機能する。そして、室内ファン７の運転により、吸込口２、３を通して室内ユニット１内に室内空気が吸込まれ、その吸込み空気が室内熱交換器６に流れて暖められる。室内熱交換器６で暖められた空気は吹出口４から室内に吹出される。
【００２５】
暖房運転時には、圧縮機２１の運転周波数をできるだけ高めて高暖房能力を確保しているが、この場合、圧縮機２１の運転周波数が高いため、圧縮機２１の吸入圧力が低下し、室外熱交換器２３における冷媒蒸発温度が下がる。さらに室外気温が低いため室外熱交換器２３の温度が相乗的に低下し、氷点下となると、室外熱交換器２３に霜が付着成長し、室外空気から熱を取り込む作用の効率が低下し、暖房能力が大幅に低下する。これを防ぐために、暖房運転時、定期的にかつ一定時間だけ、四方弁２２が冷房ポジションに設定され、冷凍サイクルにおける冷媒の流れ方向が通常と反対の逆サイクルの運転（冷房運転）に切り替えられる（図２の実線矢印方向）。これにより、圧縮機２１から吐出される高温冷媒がそのまま室外熱交換器２３に供給され、この高温冷媒によって室外熱交換器２３の温度が上昇し、霜が除去される。
【００２６】
図３は、本発明の第１の実施の形態における空気調和機の除霜運転時のフローチャートを示すものである。図３を用いて、本実施例の作用について説明する。
【００２７】
まず、この逆サイクル除霜時（ステップ１０１のＹＥＳ、ステップ１０２のＹＥＳ）、室内ファン７が停止されるとともに（ステップ１０３）、換気ファン１０が運転（ステップ１０４）し、電熱ヒータ８が通電される（ステップ１０５）。
【００２８】
この電熱ヒータ８の通電と換気ファン１０の運転により、吸込口２、３を通して室内ユニット１内に吸込まれた室内空気が電熱ヒータ８により加熱高温化され、室内熱交換器６を通る際に熱交換されて室内熱交換器６の温度が上がり、熱交換作用が促進されて除霜能
力が向上する。これにより、除霜時間の短縮が図れ、ひいては暖房効率の向上が図れる。
【００２９】
しかも、室内熱交換器６を経た冷気を換気ファン１０で室外に排出するとともに、室内ファン７を停止するので、たとえルーバ５が開いた状態にあっても、室内に冷気が吹出されることはない。
【００３０】
一定時間の除霜が終了すると（ステップ１０２のＮＯ）、室内ファン７が運転されるとともに（ステップ１０６）、電熱ヒータ８が非通電（ステップ１０７）となり、更に換気ファン１０が停止され（ステップ１０８）、通常の暖房運転に復帰する。
【００３１】
以上のように、本実施の形態においては室外熱交換器２３に対する逆サイクル除霜の際、室内ファン７を停止し、その状態で換気ファン１０を運転して更に電熱ヒータ８を通電して室内吸込み空気を加熱高温化し、その加熱高温化された吸込み空気を室内熱交換器６に通して換気ファン１０から室外に排出することにより、室内への冷風吹出しを防止しながら、室内熱交換器６での熱交換作用を促進して除霜能力の向上を図ることができる。
【００３２】
その結果、室外空気と熱交換して受け取る熱エネルギー量が少なく、冷凍サイクル全体が低温度で作動する室外空気温度が低い時にでも、除霜運転時間の短時間化ができ暖房効率の向上が図られるとともに室内住環境の快適性は確保される。
【００３３】
また、本実施の形態の逆サイクル除霜開始まで所定時間以下になった時に、まず電熱ヒータ８を通電して室内吸込み空気を加熱高温化することにより、特に、室内への吹出し空気の温度が上がり、暖房能力の低下が緩和され、室内住環境の快適性は確保しつつ、除霜運転に切り替えることができる。
【００３４】
通常、除霜開始前には暖房能力が低下しているので、室内温度が設定温度に達していないことが多く、その状態で除霜運転に切り替わると、ユーザーの要望に応えられないばかりか、故障しているとの誤解を招く可能性もあるため、除霜開始前に暖房能力の低下を緩和することで、ユーザーの要望に応えることができ、また除霜運転時間の短時間化もでき暖房効率の向上が図られる。
【００３５】
図４は、本発明の第１の実施の形態における空気調和機の除霜運転時のフローチャートである。図４を用いて、本実施例の作用について説明する。
【００３６】
まず、暖房時（ステップ１０１のＹＥＳ）で、除霜開始まで所定時間以下になった場合（ステップ１０９のＹＥＳ）、電熱ヒータ８が通電される（ステップ１０５）。続いて、除霜開始（ステップ１０２のＹＥＳ）と同時に室内ファン７が停止されるとともに（ステップ１０３）、換気ファン１０が運転（ステップ１０４）する。
【００３７】
この電熱ヒータ８の通電と換気ファン１０の運転により、吸込口２、３を通して室内ユニット１内に吸込まれた室内空気が電熱ヒータ８により加熱高温化され、室内熱交換器６を通る際に熱交換されて室内熱交換器６の温度が上がり、熱交換作用が促進されて除霜能力が向上する。これにより、除霜時間の短縮が図れ、ひいては暖房効率の向上が図れる。
【００３８】
しかも、室内熱交換器６を経た冷気を換気ファン１０で室外に排出するとともに、室内ファン７を停止するので、たとえルーバ５が開いた状態にあっても、室内に冷気が吹出されることはない。
【００３９】
一定時間の除霜が終了すると（ステップ１０２のＮＯ）、室内ファン７が運転されるとともに（ステップ１０６）、電熱ヒータ８が非通電（ステップ１０７）となり、更に換気
ファン１０が停止され（ステップ１０８）、通常の暖房運転に復帰する。
以上のように、本実施の形態においては逆サイクル除霜開始まで所定時間以下になった時に、まず電熱ヒータ８を通電して室内吸込み空気を加熱高温化することにより、特に、室内への吹出し空気の温度が上がり、暖房能力の低下が緩和され、室内住環境の快適性は確保しつつ、除霜運転に切り替えることができる。
【００４０】
その結果、室外空気と熱交換して受け取る熱エネルギー量が少なく、冷凍サイクル全体が低温度で作動する室外空気温度が低い時にでも、除霜運転時間の短時間化ができ暖房効率の向上が図られるとともに室内住環境の快適性は確保される。
【００４１】
（実施の形態２）
図５は、本発明の第２の実施の形態における空気調和機の室内ユニットの内部の構成図を示すものである。
【００４２】
図５において、室内ユニット１は、前面部に吸込口２、上面部に吸込口３、下面部に吹出口４を有し、吸込口２、３から吹出口４にかけて通風経路を形成している。吹出口４にはルーバ５が設けられ、吹出口４を開閉する機能のほかに、吹出し風の方向調節手段として機能する。このルーバ５はルーバモータ１２によって方向調節されている。
【００４３】
吸込口２、３から吹出口４にかけての通風経路には、室内熱交換器６および室内ファン７が配設され、さらに吸込口２と室内熱交換器６との間に電熱ヒータ８および室内温度センサ９が設けられている。室内ファン７は、室内空気を吸込口２、３を通して吸込み、その吸込み空気を電熱ヒータ８および室内熱交換器６に通して吹出口４から室内に吹出す。室内温度センサ９は、吸込まれる室内空気の温度を検知する。
【００４４】
図６は、本発明の第２の実施の形態における空気調和機の冷凍サイクルおよび制御回路の構成図を示すものである。
【００４５】
図６において、スプリット型の空気調和機は、室内ユニット１および室外ユニット２０から構成されている。
【００４６】
室外ユニット２０は、圧縮機２１、四方弁２２、室外熱交換器２３、減圧器たとえば電子膨張弁２４、室外ファン２５などを有している。圧縮機２１は、冷媒を吸込口から吸込み、その吸込んだ冷媒を圧縮して吐出口から吐出する。この圧縮機２１の吐出口に四方弁２２を介して室外熱交換器２３が配管接続され、その室外熱交換器２３に電子膨張弁２４を介して室内熱交換器６が配管接続されている。そして、室内熱交換器６に四方弁２２を介して圧縮機２１の吸込口が配管接続されている。
【００４７】
空気調和機全体にわたる制御を行う制御部３０に、四方弁２２、電子膨張弁２４、室外ファン２５、室内ファン７、電熱ヒータ８、室内温度センサ９、ルーバモータ１２、インバータ３１が接続されている。インバータ３１は、商用交流電源４０の交流電圧を整流し、その整流後の電圧を制御部３０からの指令に応じた周波数の交流電圧に変換し、出力する。この出力が圧縮機２１に対する駆動電力となる。
【００４８】
以上のように構成された空気調和機について、以下その動作、作用を説明する。
【００４９】
暖房運転モードが設定されると、圧縮機２１が起動されるとともに四方弁２２が暖房ポジションに設定され、圧縮機２１の吐出冷媒が四方弁２２、室内熱交換器６、電子膨張弁２４、室外熱交換器２３、四方弁２２の順に流れる（図６の破線矢印方向）。これにより、室内熱交換器６が凝縮器、室外熱交換器２３が蒸発器として機能する。そして、室内フ
ァン７の運転により、吸込口２、３を通して室内ユニット１内に室内空気が吸込まれ、その吸込み空気が室内熱交換器６に流れて暖められる。室内熱交換器６で暖められた空気はルーバ５が開いて吹出口４から室内に吹出される。
【００５０】
暖房運転時には、圧縮機２１の運転周波数をできるだけ高めて高暖房能力を確保しているが、この場合、圧縮機２１の運転周波数が高いため、圧縮機２１の吸入圧力が低下し、室外熱交換器２３における冷媒蒸発温度が下がる。さらに室外気温が低いため室外熱交換器２３の温度が相乗的に低下し、氷点下となると、室外熱交換器２３に霜が付着成長し、室外空気から熱を取り込む作用の効率が低下し、暖房能力が大幅に低下する。これを防ぐために、暖房運転時、定期的にかつ一定時間だけ、四方弁２２が冷房ポジションに設定され、冷凍サイクルにおける冷媒の流れ方向が通常と反対の逆サイクルの運転（冷房運転）に切り替えられる（図６の実線矢印方向）。これにより、圧縮機２１から吐出される高温冷媒がそのまま室外熱交換器２３に供給され、この高温冷媒によって室外熱交換器２３の温度が上昇し、霜が除去される。
【００５１】
図７は、本発明の第２の実施の形態における空気調和機の除霜運転時のフローチャートを示すものである。図７を用いて、本実施例の作用について説明する。
【００５２】
まず、この逆サイクル除霜時（ステップ２０１のＹＥＳ、ステップ２０２のＹＥＳ）、室内ファン７が微風速で運転する（ステップ２０３）とともに、ルーバ５が閉状態（ステップ２０４）に移動し、更に電熱ヒータ８が通電される（ステップ２０５）。
【００５３】
この電熱ヒータ８の通電と室内ファン７の微風速での運転により、吸込口２、３を通して室内ユニット１内に吸込まれた室内空気は電熱ヒータ８により加熱高温化され、室内熱交換器６を通過し吹出口４とルーバ５の上部にある吹出隙間１１を通って室内へ吹出される。この室内に吹出された空気は電熱ヒータ８で加熱高温化され、また風速は微風であるので、室内へ吹出されると、上（矢印Ａ）方向に流れ、一部は再び吸込口２から室内ユニット１の内部に吸い込まれる。
【００５４】
このように、室内から吸い込まれた空気は電熱ヒータ８を通り加熱高温化された後、室内熱交換器６を通ることにより、室内熱交換器６での熱交換作用が促進されて除霜能力が向上する。これにより、除霜時間の短縮が図れ、ひいては暖房効率の向上が図れる。しかも、吹出口４とルーバ５の上部にある吹出隙間１１を通って室内へ吹出された空気は微風速であり、一部は再び吸込口２から室内ユニット１の内部に吸い込まれるため、居住者が冷気を感じることはない。
【００５５】
一定時間の除霜が終了すると（ステップ２０２のＮＯ）、室内ファン７が運転されるとともに（ステップ２０６）、電熱ヒータ８が非通電（ステップ２０７）となり、ルーバ５が開となり（ステップ２０８）、通常の暖房運転に復帰する。
【００５６】
以上のように、本実施の形態においては室外熱交換器２３に対する逆サイクル除霜では、室内ファン７を微風運転し、かつその状態で電熱ヒータ８を通電して室内空気を吸込み、その吸込み空気を室内熱交換器６に通して吹出口４の上部の吹出隙間１１から微風速で吹出し、再度室内ユニット１の吸込口２から吸い込むことにより、室内への冷風吹出しを防止しながら、室内熱交換器６での熱交換作用を促進して除霜能力の向上を図ることが出来る。
【００５７】
その結果、室外空気と熱交換して受け取る熱エネルギー量が少なく、冷凍サイクル全体が低温度で作動する室外空気温度が低い時にでも、除霜運転時間の短時間化ができ暖房効率の向上が図られるとともに室内住環境の快適性は確保される。
【００５８】
また、本実施の形態の逆サイクル除霜開始まで所定時間以下になった時に、まず電熱ヒータ８を通電して室内吸込み空気を加熱高温化することにより、特に、室内への吹出し空気の温度が上がり、暖房能力の低下が緩和され、室内住環境の快適性は確保しつつ、除霜運転に切り替えることができる。
【００５９】
通常、除霜開始前には暖房能力が低下しているので、室内温度が設定温度に達していないことが多く、その状態で除霜運転に切り替わると、ユーザーの要望に応えられないばかりか、故障しているとの誤解を招く可能性もあるため、除霜開始前に暖房能力の低下を緩和することで、ユーザーの要望に応えることができ、また除霜運転時間の短時間化もでき暖房効率の向上が図られる。
【００６０】
図８は、本発明の第２の実施の形態における空気調和機の除霜運転時のフローチャートである。図８を用いて、本実施例の作用について説明する。
【００６１】
まず、暖房時（ステップ２０１のＹＥＳ）で、除霜開始まで所定時間以下になった場合（ステップ２０９のＹＥＳ）、電熱ヒータ８を通電（ステップ２０５）する。続いて、逆サイクル除霜時（ステップ２０２のＹＥＳ）、室内ファン７が微風速運転されるとともに（ステップ２０３）、ルーバ５が閉状態（ステップ２０４）となる。
【００６２】
この電熱ヒータ８の通電と室内ファン７の微風速での運転により、吸込口２、３を通して室内ユニット１内に吸込まれた室内空気は電熱ヒータ８により加熱高温化され、室内熱交換器６を通過した後、吹出口４とルーバ５の上部にある吹出隙間１１を通じて室内へ吹出される。この室内に吹出された空気の風速は微風であるので、室内へ吹出されると、上方向に流れ、一部は再び吸込口２から室内ユニット１の内部に吸い込まれる。このように、室内から吸い込まれた空気は電熱ヒータ８を通り加熱高温化された後、室内熱交換器６を通ることにより、室内熱交換器６での熱交換作用が促進されて除霜能力が向上する。これにより、除霜時間の短縮が図れ、ひいては暖房効率の向上が図れる。
【００６３】
しかも、吹出口４とルーバ５の上部にある吹出隙間１１を通って室内へ吹出された空気は微風速であるので、容易に再び吸込口２から室内ユニット１の内部に吸い込まれ、居住者が冷気を感じることはない。
【００６４】
一定時間の除霜が終了すると（ステップ２０２のＮＯ）、室内ファン７が運転されるとともに（ステップ２０６）、電熱ヒータ８が非通電（ステップ２０７）となり、更にルーバ５が開状態となり（ステップ２０８）、通常の暖房運転に復帰する。
【００６５】
以上のように、本実施の形態においては逆サイクル除霜開始まで所定時間以下になった時に、まず電熱ヒータ８を通電して室内吸込み空気を加熱高温化することにより、特に、室内への吹出し空気の温度が上がり、暖房能力の低下が緩和され、室内住環境の快適性は確保しつつ、除霜運転に切り替えることができる。
【００６６】
その結果、室外空気と熱交換して受け取る熱エネルギー量が少なく、冷凍サイクル全体が低温度で作動する室外空気温度が低い時にでも、除霜運転時間の短時間化ができ暖房効率の向上が図られるとともに室内住環境の快適性は確保される。
【産業上の利用可能性】
【００６７】
以上のように、本発明にかかる空気調和機は、除霜運転時の暖房運転の停止時間の短時間化により暖房効率の低下を抑制し、さらには除霜運転による室内への冷風吹出しを防止し住環境の快適性の向上が可能となるので、多室形空気調和機等の用途にも適用できる。
【図面の簡単な説明】
【００６８】
【図１】本発明の実施の形態１における空気調和機の室内ユニットの内部の構成図
【図２】本発明の実施の形態１における空気調和機の冷凍サイクルおよび制御回路の構成図
【図３】本発明の実施の形態１における空気調和機の除霜運転時のフローチャート
【図４】本発明の実施の形態１における空気調和機の除霜運転時のフローチャート
【図５】本発明の実施の形態２における空気調和機の室内ユニットの内部の構成図
【図６】本発明の実施の形態２における空気調和機の冷凍サイクルおよび制御回路の構成図
【図７】本発明の実施の形態２における空気調和機の除霜運転時のフローチャート
【図８】本発明の実施の形態２における空気調和機の除霜運転時のフローチャート
【符号の説明】
【００６９】
１  室内ユニット
２  吸込口
３  吸込口  
４  吹出口
５  ルーバ（開閉手段）
６  室内熱交換器
７  室内ファン
８  電熱ヒータ
９  室内温度センサ
１０  換気ファン
１１  吹出隙間
１２  ルーバモータ
２０  室外ユニット
２１  圧縮機
２２  四方弁
２３  室外熱交換器
２４  電子膨張弁（減圧器）
２５  室外ファン
３０  制御部
３１  インバータ
４０  商用交流電源
【図１】
2006336923.tif 000003
【図２】
2006336923.tif 000004
【図３】
2006336923.tif 000005
【図４】
2006336923.tif 000006
【図５】
2006336923.tif 000007
【図６】
2006336923.tif 000008
【図７】
2006336923.tif 000009
【図８】
2006336923.tif 000010